(57)【要約】【課題】  居住者はエントランスまで赴くことなく郵便物を入手することができ、間違って配送されるのを防ぐことができる集合住宅インターホンシステムを提供する。【解決手段】  エントランスホールに郵便受取ボックス４を設置し、個々の住戸に個別郵便ボックス５を設置して、郵便受取ボックス４から個別郵便ボックス５に対して郵便物を配送する郵便物配送装置６を設けた。集合玄関機１において配送操作が成されると、集合玄関機制御部１６は文字読取部３８により受取人、差出人等の文字情報を読み取ると共に、記憶部３９に記憶された居住者情報と比較判断し、一致すれば配送を実施し、不一致であれば配送せずに集合玄関機１に不一致であることを表示させる。【選択図】  図２
2009172473.tif 000002
【特許請求の範囲】
【請求項１】
来訪者が居住者を呼び出す為に集合住宅のエントランスに設置された集合玄関機と、居住者が前記集合玄関機からの呼び出しに応答するために個々の住戸に設置された住戸親機と、前記集合玄関機及び前記住戸親機を制御する制御機と、居住者宛の郵便物を受け取る為にエントランスに設置された郵便受取ボックスとを備えた集合住宅インターホンシステムであって、
郵便物を受け取るために個々の住戸に設置された個別郵便ボックスと、
前記郵便受取ボックスから前記個別郵便ボックスに対して郵便物を配送する郵便物配送装置と、その配送を制御する配送制御手段と、
前記郵便受取ボックスに設置された前記郵便物の受取人、及び差出人の文字情報を読み取って認識する文字認識部と、
住戸番号、氏名、住所等が関連付けられた居住者情報を記憶した居住者情報記憶部と、
前記集合玄関機に設置された郵便物配送先入力部と、
前記文字認識部が認識した郵便物の文字情報と前記居住者情報記憶部の情報とを比較判断する文字情報判断手段とを有し、
前記文字情報判断手段は、前記郵便物配送先入力部において配送先が入力されて所定の郵便物配送操作が成されると、前記文字認識部を動作させて受取人、差出人等の文字情報を読み取り、前記居住者情報記憶部に記憶された居住者情報と前記文字認識部で認識された情報とを比較判断し、一致すれば前記配送制御手段に配送制御を実施させ、不一致であれば前記集合玄関機に不一致であることを表示させて配送を実施させないことを特徴とする集合住宅インターホンシステム。
【請求項２】
前記配送制御手段は、前記居住者情報記憶部に記憶された居住者情報と前記文字認識部で認識された情報が一致した場合に、前記文字認識部で認識した差出人情報を前記住戸親機に送信し、前記住戸親機は受信した差出人情報を表示する情報表示手段を有することを特徴とする請求項１記載の集合住宅インターホンシステム。
【請求項３】
前記個別郵便ボックスには郵便物の着荷を検知する着荷センサが設けられ、前記住戸親機は前記着荷センサの着荷信号を受けて、着荷したことを表示または音で通知する着荷通知手段を有することを特徴とする請求項１又は請求項２記載の集合住宅インターホンシステム。
【発明の詳細な説明】
【技術分野】
【０００１】
本発明は集合住宅インターホンシステムに関し、特に郵便物配送機能を備えた集合住宅インターホンシステムに関する。
【背景技術】
【０００２】
集合住宅では、エントランス部に個々の住戸の郵便ボックスが一括して設置されているため、居住者はエントランス部まで出かけなければ配達された郵便物を入手することができなかった。そのため、郵便物の受け取りを容易に行うことができるようにしたシステムが提案されている。例えば特許文献１では、エントランスから個々の住戸にエアシュータを配置し、住戸番号を入力して郵便物を収納したキャリングケースをエアシュータに投入すれば、指定された住戸まで郵便物が搬送されるよう構成されている。
【特許文献１】特開平６−２１０２４７号公報
【発明の開示】
【発明が解決しようとする課題】
【０００３】
しかしながら、上記従来のシステムは、居住者はエントランスに赴くことなく郵便物を入手することができるが、郵便物を誤配送した場合にチェックする機能がないため、配達者の入力ミスにより異なる住戸番号の住戸に搬送されてしまうことが考えられたし、住所及び住戸番号が合致していても居住者が異なる場合もあり、そのような場合は誤配送の判別は受け取った居住者に頼るしかなかった。
【０００４】
一方で、集合住宅には、来訪者が住戸を選択して居住者を呼び出し、更に通話を行う為の集合住宅インターホンシステムが設置されている。このシステムを利用して郵便物の配送情報を居住者や郵便配達人等に通知すれば、独立したシステムを構築することなく、居住者等に郵便物の配送状況を通知できるし、誤配送が発生した場合にインターホンシステムを利用して通知することも可能となる。
【０００５】
そこで、本発明はこのような点に鑑み、居住者はエントランスまで赴くことなく郵便物を入手することができると共に、間違って配送されるのを防ぐことができる集合住宅インターホンシステムを提供することを目的とする。
【課題を解決するための手段】
【０００６】
上記課題を解決する為に、請求項１の発明は、来訪者が居住者を呼び出す為に集合住宅のエントランスに設置された集合玄関機と、居住者が集合玄関機からの呼び出しに応答するために個々の住戸に設置された住戸親機と、集合玄関機及び住戸親機を制御する制御機と、居住者宛の郵便物を受け取る為にエントランスに設置された郵便受取ボックスとを備えた集合住宅インターホンシステムであって、郵便物を受け取るために個々の住戸に設置された個別郵便ボックスと、郵便受取ボックスから個別郵便ボックスに対して郵便物を配送する郵便物配送装置と、その配送を制御する配送制御手段と、郵便受取ボックスに設置された郵便物の受取人、及び差出人の文字情報を読み取って認識する文字認識部と、住戸番号、氏名、住所等が関連付けられた居住者情報を記憶した居住者情報記憶部と、集合玄関機に設置された郵便物配送先入力部と、文字認識部が認識した郵便物の文字情報と居住者情報記憶部の情報とを比較判断する文字情報判断手段とを有し、文字情報判断手段は、郵便物配送先入力部において配送先が入力されて所定の郵便物配送操作が成されると、文字認識部を動作させて受取人、差出人等の文字情報を読み取り、居住者情報記憶部に記憶された居住者情報と文字認識部で認識された情報とを比較判断し、一致すれば配送制御手段に配送制御を実施させ、不一致であれば集合玄関機に不一致であることを表示させて配送を実施させないことを特徴とする。
この構成によれば、居住者はエントランスまで赴くことなく郵便物を入手することができるし、間違って配送しようとした場合には配送されないので、誤配送を防ぐことができる。また、誤配送しようとした場合はエラー表示がなされるので、誤配送であることを配達人が把握することができる。更に、集合玄関機を操作して配送操作することで、居住者の呼び出しを合わせて行うことも容易であるし、インターホン機器を使用するためコストダウンを図ることができる。
尚、郵便物とは葉書、封書等の通常の郵便物以外に、小包等の宅配物も含むものである。
【０００７】
請求項２の発明は、請求項１の記載の発明において、配送制御手段は、居住者情報記憶部に記憶された居住者情報と文字認識部で認識された情報が一致した場合に、文字認識部で認識した差出人情報を住戸親機に送信し、住戸親機は受信した差出人情報を表示する情報表示手段を有することを特徴とする。
この構成によれば、誰からの郵便物であるのか住戸親機に表示されるので、居住者は郵便物を見る前に差出人を認識することができ、便利である。
【０００８】
請求項３の発明は、請求項１又は請求項２記載の構成において、個別郵便ボックスには郵便物の着荷を検知する着荷センサが設けられ、住戸親機は着荷センサの着荷信号を受けて、着荷したことを表示または音で通知する着荷通知手段を有することを特徴とする。
この構成によれば、郵便が届いた際には住戸親機で報知させることができ、居住者は別途通知を受けることなく郵便物があることを認識できる。
【発明の効果】
【０００９】
本発明によれば、居住者はエントランスまで赴くことなく郵便物を入手することができ、間違って配送しようとした場合には配送されないので、誤配送を防ぐことができる。更に、誤配送しようとした場合はエラー表示がなされるので、配達人は誤配送であることを把握することができる。そして、インターホン機器を使用するためコストダウンを図ることができる。
【発明を実施するための最良の形態】
【００１０】
以下、本発明を具体化した実施の形態を、図面に基づいて詳細に説明する。図１は本発明に係る集合住宅インターホンシステムの一例を示す説明図であり、１は来訪者が居住者を呼び出すために集合住宅のエントランスホールＡに設置された集合玄関機、２は集合住宅内において来訪者が居住者を呼び出すために個々の住戸玄関に設置された住戸玄関機、３は集合玄関機１及び住戸玄関機２からの呼び出しに応答するために個々の住戸Ｂに設置された住戸親機、４はエントランスホールＡに設置されて郵便配達員が郵便物を住戸Ｂまで配送するために投入する郵便受取ボックス、５は個々の住戸に設置されて配送されてきた郵便物を居住者が受け取るための個別郵便ボックス、６は郵便受取ボックス４に投入された郵便物を指定された住戸の個別郵便ボックス５まで配送する例えばコンベアで構成された郵便物配送装置である。尚、Ｍ１は郵便配達人、Ｍ２は居住者を示している。
【００１１】
図２は、図１に示す各機器の要部をブロック図で示した構成図であり、この図２に示すように、集合玄関機１と居室親機３とは機器間の通信を制御するための集合住宅制御装置８を介して接続され、郵便物配送装置６は郵便物配送制御装置９により制御される。そして、集合玄関機１は、呼出先或いは郵便物の配送先の住戸Ｂを指定するめのテンキー等から成る操作部１１、呼出ボタン１２、図示しないマイク及びスピーカを備えた通話部１３、各種情報を表示する表示部１４、郵便物の配送を実行する配送ボタン１５、集合玄関機１を制御する集合玄関機制御部１６、郵便受取ボックス４や集合住宅制御装置８と通信するためのインターフェース部（集合玄関機ＩＦ）１７を備えている。尚、集合玄関機１には来訪者を撮像するためのカメラを備えているが図２では省略してある。
【００１２】
住戸親機３は、マイク（図示せず）及びスピーカ２１が接続された音声回路２２、集合玄関機１のカメラが撮像した映像を出画するモニタ２３、ＬＥＤから成る表示灯２４、個別郵便ボックス５に設置されたセンサ（着荷センサ）２５からの信号を受けて郵便物の着荷を検出する郵便物検出回路２６、住戸親機３を制御する親機制御部２７、集合住宅制御装置８と通信するためのインターフェース部（親機ＩＦ）２８を備えている。
【００１３】
そして、郵便物配送制御装置９は、郵便受取ボックス４を制御する郵便受取ボックス制御回路３１、郵便物配送装置６を制御する配送制御回路３２、郵便物配送制御装置９を制御する郵便物配送制御装置制御部３３、集合住宅制御装置８と通信するためのインターフェース部（通信ＩＦ）３４を備えている。また、郵便受取ボックス４は、投入された郵便物の差出人、及び受取人情報を読み取るための文字読取部３８を備え、読み取った情報を集合玄関機１に送信するよう構成されている。
更に、集合住宅制御装置８には、住戸番号情報に関連付けられた居住者情報を記憶した記憶部３９が設けられている。
【００１４】
このように構成された集合住宅インターホンシステムの動作を次に説明する。但し、集合住宅インタホンシステムの基本動作である集合玄関機１からの呼出動作、及び住戸親機３による応答動作は、従来と同様であるため説明を省略し、ここではエントランスホールＡに入ってきた郵便配達員Ｍ１が、集合玄関機１を操作して指定した住戸Ｂへ郵便物を配送する動作を説明する。
【００１５】
例えば１０１号室の住戸Ｂへ郵便物を配送する場合、まず郵便配達人が郵便受取ボックス４へ郵便物を投入する。そして、集合玄関機１の操作部１１を操作して「１０１」を入力し、配送ボタン１５を押下する。この操作により、集合玄関機制御部１６は、文字読取部３８を起動させて投入された郵便物の差出人、受取人の文字情報を読み取る一方、集合住宅制御装置８の記憶部３９から居住者情報を入手して照合する。この照合により、記憶部３９に予め記憶された情報と読み取った受取人の情報が一致したときには、集合住宅制御装置８を介して郵便物配送制御装置９に配送開始信号が送信され、郵便受取ボックス制御回路３１が動作して郵便受取ボックス４に投入された郵便物が郵便物配送装置６へ送り出される。
【００１６】
その後、配送制御回路３２が郵便物配送装置６を制御し、１０１号室の個別郵便ボックス５へ郵便物が配送される。郵便物が到着すると個別郵便ボックス５に設置されたセンサ２５により郵便物検出回路２６が郵便物を検出し、親機制御部２７が表示灯２４を点灯させ、スピーカ２１から着荷を知らせる音声を鳴動させる。こうして、居住者Ｍ２に郵便物が届いたことが通知される。
同時に、親機制御部２７は、集合住宅制御装置８を介して集合玄関機１から文字読取部３８で読み取った郵便物の差出人、受取人情報を入手し、モニタ２３に表示する。
【００１７】
但し、集合玄関機１の操作部１１で入力した住戸番号情報と文字読取部３８で読み取った郵便物の差出人、受取人情報が、記憶部３９に予め記憶された情報に一致しない場合には、配送制御は行われない。この場合は、集合玄関機制御部１６の制御により不一致である旨の情報が表示部１４に表示される。
【００１８】
このように、居住者はエントランスまで赴くことなく郵便物を入手することができるし、間違って配送しようとした場合には配送されないので、誤配送を防ぐことができる。また、誤配送しようとした場合はエラー表示がなされるので、誤配送であることを配達人が把握することができる。更に、集合玄関機を操作して配送操作することで、居住者の呼び出しを合わせて行うことも容易であるし、インターホン機器を使用するためコストダウンを図ることができる。
また、誰からの郵便物であるのか住戸親機に表示されるので、居住者は郵便物を見る前に差出人を認識することができ、便利である。
更に、郵便が届いた際には住戸親機で報知させることができ、居住者は別途通知を受けることなく郵便物があることを認識できる。
【００１９】
尚、上記実施形態では、住戸番号の入力を集合玄関機１のテンキー（操作部）を用い、また誤配送の表示を集合玄関機１の表示部１４に表示する構成であるが、これに限らず、別途、郵便物配送専用の装置を用いても良い。
また、記憶部３９を集合住宅用制御装置８に備えたが、集合玄関機１或いは郵便物配送制御装置９に設けてもよい。また郵便物配送装置６はエアシュータを使用しても良い。
【図面の簡単な説明】
【００２０】
【図１】本発明に係る集合住宅インターホンシステムの実施形態の一例を示すシステム説明図である。
【図２】図１のシステムの主要機器をブロック図で示した構成図である。
【符号の説明】
【００２１】
１・・集合玄関機、３・・住戸親機、４・・郵便受け取りボックス、５・・個別郵便ボックス、６・・郵便物配送装置、８・・集合住宅制御装置、９・・郵便物配送制御装置、１１・・操作部（郵便物配送先入力部）、１４・・表示部、１６・・集合玄関機制御部（文字情報判断手段）、２１・・スピーカ（着荷通知手段）、２３・・モニタ（情報表示手段）、２４・・表示灯（着荷通知手段）、２５・・着荷センサ、２６・・郵便物検出回路、２７・・親機制御部、３２・・配送制御回路（配送制御手段）、３８・・文字読取部（文字認識部）、３９・・記憶部（居住者情報記憶部）。
【図１】
2009172473.tif 000003
【図２】
2009172473.tif 000004